(57)【要約】【課題】本体部と接続部をつなぐ結合部であって、窪んだ湾曲部を有する結合部を提供する。【解決手段】複数のピンまたは複数の差込口と、複数のピンと複数の差込口を収容し、複数のピンまたは複数の差込口の長手方向軸に対し平行に延伸する本体部と、本体部に接続され、本体部から鈍角に延伸する接続部と、接続部の一端に接続されたコードとを含むプラグ。本体部と接続部は結合部で接続され、結合部は結合部の下面に窪んだ湾曲部を含む。【選択図】図２
2018085322.tif 000002
【特許請求の範囲】
【請求項１】
プラグであって、
１つまたは複数の接続素子と、
前記１つまたは複数の接続素子を収容し、前記１つまたは複数の接続素子の長手方向軸に対し平行に延伸する前記本体部と、
前記本体部に接続され、前記本体部から鈍角に延伸する接続部と、
前記接続部の一端に接続されたコードと、を含み、
前記本体部と前記接続部は結合部で接続され、前記結合部は前記結合部の下面に指当て部を含む、プラグ。
【請求項２】
請求項１に記載のプラグであって、
前記１つまたは複数の接続素子は、１つまたは複数のピンと１つまたは複数の差込口の一方または両方である、プラグ。
【請求項３】
請求項２に記載のプラグであって、
前記プラグは１つまたは複数のピンを含み、前記１つまたは複数の差込口は発生器内に配置され、前記１つまたは複数の差込口は前記１つまたは複数のピンを受け接続を確立する、プラグ。
【請求項４】
請求項１〜３のいずれかに記載のプラグであって、
前記接続部は屈曲しており、前記１つまたは複数のピンと前記１つまたは複数の差込口が合わせられると、前記接続部は前記１つまたは複数のピンと前記１つまたは複数の差込口の前記長手方向軸に対し下方を向き、前記接続部が下方を向く場合に前記１つまたは複数のピンと前記１つまたは複数の差込口が合わせられる、プラグ。
【請求項５】
プラグであって、
１つまたは複数の接続素子と、
前記１つまたは複数の接続素子を収容し、前記１つまたは複数の接続素子の長手方向軸に対し平行に延伸する本体部であって、
前記本体部は、
上面と、
底面と、
前記上面と前記底面との間で、前記上面を前記底面に接続する第１側面と、
前記上面と前記底面との間で、前記上面を前記底面に接続する第２側面と、を含む前記本体部と、
前記本体部に接続され、前記本体部から鈍角に延伸する接続部と、
前記接続部の一端に接続されたコードと、を含み、
前記本体部と前記接続部は結合部で接続され、前記結合部は前記本体部の前記上面に親指用突起部を含む、プラグ。
【請求項６】
請求項５に記載のプラグであって、
前記１つまたは複数の接続素子は、１つまたは複数のピンと１つまたは複数の差込口の一方または両方である、プラグ。
【請求項７】
請求項６に記載のプラグであって、
前記プラグは１つまたは複数のピンを含み、前記１つまたは複数の差込口は発生器内に配置され、前記１つまたは複数の差込口は前記１つまたは複数のピンを受け接続を確立する、プラグ。
【請求項８】
請求項５または６に記載のプラグであって、
前記接続部は屈曲しており、前記１つまたは複数のピンと前記１つまたは複数の差込口が合わせられると、前記接続部は前記１つまたは複数の接続素子の長手方向軸に対し下方を向き、前記接続部が下方を向く場合に前記１つまたは複数のピンと前記１つまたは複数の差込口が合わせられる、プラグ。
【請求項９】
プラグであって、
１つまたは複数の接続素子と、
内穴と実質的にＤ型である外穴とを含むボス部と、を含み、
前記１つまたは複数の接続素子は、前記ボス部の前記内穴内に配置される、プラグ。
【請求項１０】
請求項９に記載のプラグであって、
発生器のレセプタクルは、前記プラグの前記ボス部の形状と相補型である、プラグ。
【請求項１１】
請求項９または１０に記載のプラグであって、
前記１つまたは複数の接続素子は、１つまたは複数のピンと１つまたは複数の差込口の一方または両方である、プラグ。
【請求項１２】
請求項９〜１１のいずれかに記載のプラグであって、
発生器の一部が前記ボス部の前記内穴内に延伸して接続を確立する、プラグ。
【請求項１３】
請求項９〜１２のいずれかに記載のプラグであって、
前記ボス部は、前記１つまたは複数の接続素子の末端を越えて延伸する、プラグ。
【請求項１４】
請求項９〜１３のいずれかに記載のプラグであって、
前記プラグは鍔部を含み、前記鍔部は実質的にＤ型であって、前記ボス部と前記鍔部の形状はそろえられている、プラグ。
【請求項１５】
請求項９〜１４のいずれかに記載のプラグであって、
前記ボス部は、発生器のレセプタクルと形状が相補的である、プラグ。
【発明の詳細な説明】
【技術分野】
【０００１】
本教示は、プラグとレセプタクルに関し、特に相補型であって適正な接続を容易にする、発生器用のプラグとレセプタクルに関する。
【背景技術】
【０００２】
通常、発生器は１つまたは複数のレセプタクルを含み、プラグをレセプタクルに挿入でき、発生器による制御や電源の供給を可能とするように、プラグに接続された装置に電力または信号を供給する。通常プラグは、発生器のレセプタクル内に延伸するオスピンを含み、電気接続と信号接続の一方または両方を形成する。このようなピンは小さく、発生器のレセプタクルに適切に挿入されないと変形してしまうこともある。他のプラグは、プラグの周囲全体に渡って実質的に外見が同一であって、初めて試すときにはユーザにとってプラグと差込み口を正しく合わせるのが困難な場合もある。
【０００３】
プラグのいくつかの例が米国特許第３，９５０，０５２号明細書、米国特許第４，００３，６１６号明細書、米国特許第第５，５６７，１８１号明細書、米国特許出願公開第２００６／００９４２８５号明細書、米国特許出願公開第２０１５／０３０３７３７号明細書およびｈｔｔｐ：ｗｗｗ．ａｌｉｂａｂａ．ｃｏｍ／ｐｒｏｄｕｃｔ−ｄｅｔａｉｌ／５６ＰＡ−Ａｕｓｔｒａｌｉａ−Ａｎｇｌｅｄ−ｐｌｕｇｓ＿６７１３４８９８６．ｈｔｍｌ（２０１６年６月２２日最終アクセス）から入手可能である５６ＰＡオーストラリア角度付きプラグに示され、これらすべては参照によってあらゆる目的のためここに援用するものとする。本体部と接続部が相互に鈍角に伸びるプラグは必要性が高い。本体部と接続部をつなぐ結合部であって、窪んだ湾曲部（ｓｕｂ−ｆｌｕｓｈ  ｒａｄｉｕｓ）を有する結合部を備えることは必要性が高い。本体部と接続部をつなぐ結合部であって、親指用突起部（ｔｈｕｍｂ  ｒｉｄｇｅ）を有する結合部が必要とされている。Ｄ型外穴を有するボス部（ｂｏｓｓ）を有するプラグが必要とされている。Ｄ型の鍔部を有するプラグが必要とされている。
【先行技術文献】
【特許文献】
【０００４】
【特許文献１】米国特許第３，９５０，０５２号明細書
【特許文献２】米国特許第４，００３，６１６号明細書
【特許文献３】米国特許第第５，５６７，１８１号明細書
【特許文献４】米国特許出願公開第２００６／００９４２８５号明細書
【特許文献５】米国特許出願公開第２０１５／０３０３７３７号明細書
【非特許文献】
【０００５】
【非特許文献１】ｈｔｔｐ：ｗｗｗ．ａｌｉｂａｂａ．ｃｏｍ／ｐｒｏｄｕｃｔ−ｄｅｔａｉｌ／５６ＰＡ−Ａｕｓｔｒａｌｉａ−Ａｎｇｌｅｄ−ｐｌｕｇｓ＿６７１３４８９８６．ｈｔｍｌ
【発明の開示】
【課題を解決するための手段】
【０００６】
本教示は、次のようなプラグを提供することによって現在の必要性に応じる。プラグは、複数のピンまたは複数の差込口と、複数のピンまたは複数の差込口を収容し、複数のピンまたは複数の差込口の長手方向軸と平行に延伸する本体部と、本体部に接続され、本体部から鈍角に延伸する接続部と、接続部の一端に接続されたコードと、を含む。本体部と接続部は結合部で接続され、結合部は結合部の下面に窪んだ湾曲部を含む。
【０００７】
本教示は、複数のピンまたは複数の差込口と、複数のピンまたは複数の差込口を収容し、複数のピンまたは複数の差込口の長手方向軸と平行に延伸する本体部と、本体部に接続され、本体部から鈍角に延伸する接続部と、接続部の一端に接続されたコードと、を含むプラグから成る。本体部と接続部は結合部で接続され、結合部は上面に親指用突起部を含む。
【０００８】
本教示は、プラグであって、１つまたは複数のピンと、１つまたは複数のピンの全体または一部の周囲に延伸する１つまたは複数のカラー部と、概して円形の内穴と概してＤ型の外穴を有するボス部と、を含むプラグを提供する。１つまたは複数のカラー部と１つまたは複数のピンは、ボス部の概して円形の内穴内に配置される。
【０００９】
本教示は、プラグであって、１つまたは複数の接続素子と、１つまたは複数の接続素子を収容し、１つまたは複数の接続素子の長手方向軸と平行に延伸する本体部と、本体部に接続され、本体部から鈍角に延伸する接続部と、接続部の一端に接続されたコードと、を含むプラグを提供する。本体部と接続部は結合部で接続され、結合部は結合部の下面に窪んだ湾曲部を含む。
【００１０】
本教示は、プラグであって、１つまたは複数の接続素子と、１つまたは複数の接続素子を収容し、１つまたは複数の接続素子の長手方向軸と平行に延伸する本体部であって、上面と、底面と、上面と底面との間で、上面と底面とを接続する第１側面と、上面と底面との間で、上面と底面とを接続する第２側面と、を含む本体部と、本体部に接続され、本体部から鈍角に延伸する接続部と、接続部の一端に接続されたコードと、を含むプラグを提供する。本体部と接続部は結合部で接続され、結合部は本体部の上面に親指用突起部を含む。
【００１１】
本教示は、プラグであって、１つまたは複数の接続素子と、内穴と概してＤ型である外穴とを含むボス部とを含むプラグを提供する。１つまたは複数の接続素子はボス部の内穴内に配置される。
【００１２】
本教示は、プラグであって、固定された（ｋｅｙｅｄ）ピン配列とＤ型の鍔部を含むプラグを提供する。
【００１３】
本教示は、相互に対し鈍角に延伸する本体部と接続部とを含むプラグを提供する。本教示は、本体部と接続部とを接続し、窪んだ湾曲部を含む結合部を提供する。本教示は、本体と接続部とを接続し、親指用突起部を含む結合部を提供する。本教示は、Ｄ型の外穴を有するボス部付きプラグを提供する。本教示は、Ｄ型の鍔部付きプラグを提供する。
【図面の簡単な説明】
【００１４】
【図１】プラグとレセプタクルを含む発生器を示す図である。
【図２】プラグの右後方斜視図である。
【図３】図２のプラグの左後方斜視図である。
【図４】図３のプラグの前方斜視図である。
【図５】図３のプラグの側面図である。
【図６】図３のプラグの前方斜視図である。
【図７Ａ】プラグの前方斜視図である。
【図７Ｂ】図７Ａのプラグの側面斜視図である。
【図７Ｃ】図７Ａのプラグの正面図である。
【図８】アダプタの前上方斜視図である。
【図９Ａ】図８のアダプタの前方斜視図である。
【図９Ｂ】図８のアダプタの側面斜視図である。
【図１０】アダプタの斜視図である。
【図１１】プラグの側面図である。
【図１２】図１１のプラグの上面図である。
【図１３】プラグの側面図である。
【図１４】図１３のプラグの上面図である。
【図１５】プラグの側面図である。
【図１６】図１５のプラグの上面図である。
【図１７】プラグの側面図である。
【図１８】図１７のプラグの上面図である。
【図１９】プラグの側面図である。
【図２０】図１９のプラグの上面図である。
【図２１】ボス部付きプラグの側面図である。
【図２２】図２１のプラグの上面図である。
【図２３】プラグの側面図である。
【図２４】図２３のプラグの上面図である。
【発明を実施するための形態】
【００１５】
ここに示す説明と図は、当業者に本発明の教示を伝え、その原則と実際の適用例を示すためのものである。当業者であれば、個々の使用法の要件に最適になるよう、本教示を採用して様々な形式に適用可能である。従ってここに示す本教示の特定の実施形態は、本教示のすべてを網羅するようにまたは本教示を制限するように意図したものではない。つまり本教示の範囲は、このような記載に基づくのではなく、添付の請求項並びに請求項が権利を有する等価物の全範囲に基づき判断されるべきである。特許出願および特許公開公報を含むすべての記事や参考文献の開示内容は、あらゆる目的のため引用により援用する。添付の請求項から理解されるように、他の組み合わせも可能であって、請求項も引用により明細書本文に援用する。
【００１６】
本教示は装置（好適には電気外科装置）のプラグに関する。好適には本教示は、電気外科装置のプラグと電気外科システムを構成する関連部品に関する。本プラグは、電気外科システム内の装置に接続され、電気外科システムは、ハンドピース、接地パッド、発生器、電気外科装置、隣接するハンドピース部品をそれぞれ１つまたは複数、またはこれらの組み合わせを含み、これらは電気外科システムに組み込まれる。プラグと電気外科装置は、手術を行なうために医師によって使用されるいかなる装置でもよい。電気外科装置は、複数の構成または複数の状態の一方または両方を切り替えるように機能してもよい。例えば電気外科装置は、単極構成、双極構成、非電気外科構成、またはこれら３つの組み合わせを切り替えてもよい。電気外科装置は、両方の手を必要とすることなく、または作業を中断することなく、もしくはこれらを両立してユーザが複数の構成を切り替えられるように、片方の手で複数の構成を切り替えられるいかなる装置であってもよい。電気外科装置は、右手でも左手でも使用可能であるか、複数の構成を右手でも左手でも切り替え可能であるか、またはこれら両方が可能であるいかなる装置または構成の一方または両方であってもよい。電気外科装置は、切開、止血、凝固、乾燥、放電治療、電気焼灼、またはこれらの組み合わせを行なうために使用してもよい。電気外科装置は、双極機能、単極機能、非電気外科機能、またはこれらの組み合わせを含むいかなる装置であってもよい。電気外科装置は、切開手術で使用してもよい。電気外科装置は、電気外科機能に加えて非電気外科目的に使用してもよい。例えば電気外科装置は、物、器官、血管、皮膚、組織等、またはこれらの組み合わせをつかむために使用できる鉗子とピンセットの一方または両方として使用してもよい。他の例では装置の１つまたは複数の部品は、鋭い刃を含み、メスと同様に切開するために使用してもよい。電気外科装置はハンドピースと発生器を含んでもよい。電気外科装置は、ハンドピースからプラグを介し発生器へ届く治療用信号、発生器からプラグを介しハンドピースへ届く治療用信号、またはこれらの組み合わせの治療用信号を有してもよい。
【００１７】
１つまたは複数の治療用信号は、信号、電力、導通（ｃｏｎｔｉｎｕｉｔｙ）、またはこれらの組み合わせであってもよい。治療信号は、ハンドピースからプラグを介して発生器へまたはその逆方向に届いてもよい。治療信号は、ハンドピースと発生器の一方または両方によって形成されてもよい。電気外科治療用信号は、治療用電流であってもよい。好適には電気外科治療用信号は、ユーザが１つの工程を行なったことを示し、治療用電流と治療用エネルギーの一方または両方を生成するように信号が送信される。電気外科治療用信号は、治療用電流が生成され、治療用電流が電気外科手術に使用可能となるように信号を生成する。電気外科治療用信号は、単極治療用信号と双極治療用信号の一方または両方であってもよい。単極治療用信号は、発生器のリターンポートとアクティブポート間の電圧差を有するいかなる信号であってもよい。単極治療用信号は、電気外科装置によって出力されると、電気外科装置の一方の極から、電気外科装置から離れた位置、ハンドピースから離れた位置、またはこれらを組み合わせた離れた位置にあるもう一方の極へ届く。双極治療用信号は、電気外科装置に接続されているか、発生器内にあるか、またはこれら両方である２本のリード線間の電圧差を有するいかなる信号であってもよい。双極治療用信号は、電気外科装置によって出力されると、ハンドピースの１つの部品からハンドピースの他の部品へ届く（例えば２つの作業アームの間、ブレード電極から一方または両方の作業アーム、またはその両方）。電気外科治療用信号は、起動回路が第２状態である場合、ハンドピースから出力され、第１作業アームと第２作業アームの間、ブレード電極と作業アームの一方または両方の間、またはこれらの組み合わせに治療用電流が届くようにしてもよい。治療用信号は、ハンドピースによって生成され、ハンドピースから発生器へ伝導されてもよい。
【００１８】
発生器は、電力、治療用電流、制御信号、または電気外科信号を供給するいかなる装置、ユーザからの信号に応じて電気的に自己構成するいかなる装置、ユーザの調整に応じて物理的に構成するいかなる装置、またはこれらの組み合わせの装置であってもよい。発生器は、ハンドピースに電気的に接続するように機能し、治療用信号、電力、治療用電流、またはこれらの組み合わせの供給と受け取りの一方または両方を行なう。発生器はハンドピースと電気外科装置の一方または両方にプラグを介して接続される。発生器は、単一の治療電流を発生可能であってもよい。発生器は、２つの治療電流を発生可能であってもよい。発生器は、２つ以上、３つ以上、または４つ以上のレセプタクルを含んでもよい。レセプタクルは、ハンドピースの１つまたは複数のプラグを差し込み、電力、制御信号、治療用電流、またはこれらの組み合わせを電気外科装置に供給するようにプラグを受ける、発生器内のいかなるポートであってもよい。
【００１９】
１つまたは複数のレセプタクルは、プラグを受けるように機能する。レセプタクルはプラグと共に、機械的な接続と電気的な接続の一方または両方を形成するように機能する。レセプタクルは、全体または一部がプラグに挿入されるように機能してもよい。レセプタクルは、凹部と凸部の一方または両方でもよく、またはこれらを含んでもよい。レセプタクルはメス部とオス部の一方または両方でもよい。レセプタクルは、実質的に発生器内部に位置してもよく、発生器外部から届く部分を含んでもよい。レセプタクルは、プラグ、プラグのボス部、挿入部、１つまたは複数のカラー部（ｃｏｌｌａｒ）、１つまたは複数の貫通穴、１つまたは複数のピン、またはこれらの組み合わせに対し相補的な形状であってもよい。レセプタクルは概してＤ型であってもよい。レセプタクルは概してＤ型部分を含んでもよい。レセプタクルは、非対称部分を含んでもよい。レセプタクルは、対称部分を含んでもよい。レセプタクルは、円を含んでもよい。レセプタクルは、Ｄ型部の内部に円型部を含んでもよい。レセプタクルは、１つまたは複数の平壁と円弧壁の一方または両方を含んでもよい。レセプタクルは、１つまたは複数の差込口または２つ以上の差込口、１つまたは複数のピンまたは２つ以上のピン、１つまたは複数の接続部または２つ以上の接続部、またはこれらの組み合わせを含んでもよい。
【００２０】
１つまたは複数の接続部は、プラグを発生器へまたはプラグをレセプタクルへ接続するように機能する。接続部は、電気外科装置を発生器へ電気接続するか、信号的に接続するか、またはその両方を行なうように機能してもよい。接続部はパターンを有してもよい。パターンによって、接続部の一方ともう一方の接続部とを誤挿入防止構造化（ｋｅｙ）してもよい。電気コネクタは、オス部品とメス部品の一方または両方であってもよい。電気コネクタは、着脱可能に接続してもよい。電気コネクタはピンと差込口の一方または両方であってもよい。接続部は、電気リード線に接続された導電ピンとリード線に接続され対応する導電差込口であってもよく、これらは組み合わせられ電気接続を確立する。電気コネクタは、レセプタクルとプラグの一方または両方の内部に位置してもよい。例えば、プラグがピンである複数の接続部を含み、レセプタクルが差込口である複数の接続部を含み、ピンが差込口へと延伸して接続を確立してもよい。１つまたは複数の差込口は、レセプタクルとピンの一方または両方の内部に位置してもよい。差込口がピンを含んでもよい。好適には、差込口がピンまたはカラー部を受けて接続を確立する。差込口は、ピニオン差込口（例えばピンを受ける差込口）であってもよい。各差込口は各ピンを受ける個別の差込口であってもよい。差込口はリード線につないでも、差込口に接続されたリード線にピンを接続し、電力と信号の一方または両方が差込口とピン間で伝達できるようにしてもよい。各差込口は、リード線に接続してもよい。差込口は、誤挿入防止構造化してもよい。差込口はパターン化して配置してもよく、パターンは誤挿入防止構造化してもよい。差込口は複数の差込口でもよい。複数の差込口は、ピンとカラー部の一方または両方に相補するパターンであってもよい。差込口は１つの形状のプラグしか取り付けられないように、あるパターンに配置してもよい。差込口は、プラグのカラー部を受けるメス部品であってもよい。差込口は、電気接続が確立した場合に、信号と電力の一方または両方が伝達されるようにピンを接続する金属を含んでもよい。差込口は、金、銀、銅、ニッケル、またはこれらの組み合わせで形成してもよい。差込口は、プラグのカラー部の内部へ延伸するオス部品であってもよい。好適にはレセプタクルは、複数の差込口を含む。さらに好適にはレセプタクルは、プラグのカラー部とピンの一方または両方と同じ数の差込口を含む。
【００２１】
１つまたは複数のプラグは、外科装置と発生器の間の接続を確立するよう機能してもよい。プラグは、１つまたは複数のプラグと発生器との間の機械的接続と電気的接続の一方または両方を形成するように機能してもよい。プラグは、内部ピンと外部ピンの一方または両方を含んでもよい。プラグは電気外科装置に電力を供給する発生器とのインタフェースを形成するように機能する。プラグは、電気外科装置へ接続されても、電気外科装置から延伸してもよい。プラグはコードを含んでもよい。プラグは発生器に挿入され、治療用電流を電気外科装置へ供給してもよい。プラグは、本体部、接続部、および本体部と接続部を接続する結合部を含んでもよい。
【００２２】
本体部は、ユーザがプラグをレセプタクルに接続できるように握り部として機能してもよい。本体部は、発生器の外側に残るよう機能してもよい。本体部はプラグの主部分として機能してもよい。本体部はプラグの電気部品を収容してもよい。本体部は、１本または複数本のピンを収容してもよい。ピンは、本体部内で窪んでいてもよい。ピンは、本体からカンチレバー状に延伸してもよい。ボス部は、本体部からカンチレバー状に延伸してもよい。本体部は、１つまたは複数（好適には複数）のグリップ体を含んでもよい。本体部は長さを有する。本体部の長さは長手方向の軸に沿って延伸する。プラグは、本体部の長手方向の軸に沿って発生器から着脱される。本体部はボス部と結合部との間に位置する。本体部、接続部、結合部、鍔部、ボス部、またはこれらの組み合わせは、上部、底部、左面（例えば第１側面）、右面（例えば第２側面）、またはこれらの組み合わせを含む。左面は上部と底部の間に延伸し、これらをつなぐ。右面も上部と底部の間に延伸し、これらをつなぐ。上部は底部の上方に位置してもよい。上部と底部は重力の方向に相対的であってもよい。プラグとアダプタの一方または両方の各部品は、上部、底部、左面、右面、またはこれらの組み合わせを含んでもよい。上部は底部の上方に位置てもよい。本体部のボス部は、上部、底部、および側壁を２面（例えば左面と右面）含む。ボス部、鍔部、内穴、アダプタ、またはこれらの組み合わせは、１つまたは複数の平壁、１つまたは複数の円弧壁、上部、底部、左面（例えば第１側面）、右面（例えば第２側面）、Ｄ型部、またはこれらの組み合わせを含んでもよい。
【００２３】
Ｄ型部は、プラグを発生器とアダプタの一方または両方に接続できる方向を確定するように機能してもよい。Ｄ型部は、１つの平壁と１つの円弧壁であってもよい。Ｄ型部は、半円を含んでもよい。Ｄ型部は、２つの平行な側面部分を含んでもよい。２つの平行な側面部分は、弓形部分に対する接線であってもよい。Ｄ型部は、２つの平行な側面部分に対し垂直であって、これらをつなぐ部分を含んでもよい。Ｄ型部は、３つの平壁を含んでもよい。Ｄ型部は、２つの平壁の間に延伸しこれらをつなぐ１つの円弧壁と、２つの平壁をつなぐ円弧壁に対向する第３平壁を含んでもよい。
【００２４】
１つまたは複数の平壁は、プラグと差込口の接続構成を形成する形状を形成するように機能できる。平壁は、上部、底部、左面、または右面を形成してもよい。平面は、下方（つまり本体部の底部）に位置してもよい。平面は上方（つまり本体部の上部）に位置してもよい。平壁によって、ボス部、鍔部、内穴、アダプタ、またはこれらの組み合わせを誤挿入防止構造化してもよい。平壁は、プラグまたはアダプタの上部を示してもよい。平壁は、プラグまたはアダプタの底部を示してもよい。平壁は、他の部品の平壁と相補関係であってもよい。例えば、内穴の平壁とアダプタの平壁との位置を合わせてもよい。平壁は、１つまたは複数の弧状壁の近くに配置してもよい。
【００２５】
１つまたは複数の円弧壁は、差込口に対してピンを誤挿入防止構造化してもよい。円弧壁は、アダプタに対して内穴を誤挿入防止構造化してもよい。円弧壁は、他の部分の円弧壁と形状が相補的であってもよい。複数の他の部分（例えばプラグまたはアダプタ）の円弧壁は、相互の近くに配置してもよい。例えば、ボス部、鍔部、および内穴はすべて円弧壁と平壁を含み、これらの平壁と円弧壁の相互の位置を合わせてもよい。１つの部分の円弧壁は、他の部分の円弧壁の近くに配置してもよい。例えば、ボス部の円弧壁を鍔部の平壁の近くに配置してもよい。好適には、鍔部は内穴の円弧壁の位置を示す。円弧壁は、ボス部の内側または外側に配置してもよい。
【００２６】
ボス部は、全体的または部分的にレセプタクルの内部に延伸してレセプタクルとの接続を確立するように機能してもよい。ボス部は、レセプタクルの一部を受けて接続を確立するように機能してもよい。ボス部は、ピンの支えまたは保護の一方または両方を行なうように機能してもよい。ボス部は、１本または複数（好適には複数）のピンを囲んでもよい。本体部はボス部がなくてもよい。例えば、本体部からジャックピンが延伸する場合には、本体部はボス部なしでもよい。ボス部は、レセプタクルに対してプラグの向きを合わせるように機能してもよい。ボス部は、レセプタクルに対して形状が相補的であってもよい。ボス部は、概してＤ型であってもよい。ボス部は、Ｄ型であってもよい。ボス部は１つまたは複数の平面と１つまたは複数の円弧面を含んでもよい。好適には、ボス部の外側はＤ型である。ボス部は非対称であってもよい。ボス部は、レセプタクルの一部と誤挿入防止構造化される内部構造を含んでもよい。ボス部は、対称型内部構造を含んでもよい。ボス部は、非対称型内部構造を含んでもよい。ボス部は、円型の内部構造を含んでもよい。ボス部は、Ｄ型の内部構造を含んでもよい。ボス部とレセプタクルは、プラグとレセプタクルが単一の構成でしか合わないように誤挿入防止構造化されてもよい。ボス部は、ピン、挿入部、カラー部、接続部、またはこれらの組み合わせを越えて延伸してもよい。ボス部が窪んでいて、ピン、挿入部、カラー部、またはこれらの組み合わせがボス部を越えて延伸してもよい。ボス部は、ピン、挿入部、カラー部、またはこれらの組み合わせを収容してもよい。ボス部は、１つまたは複数のロック部を含み、プラグをレセプタクルに固定してもよい。ロック部は、レセプタクルと発生器の一方または両方との接続を固定するように機能してもよい。ロック部は、ボス部と鍔部の一方または両方に位置してもよい。ロック部は、レセプタクル内に延伸して接続を固定してもよい。ロック部は、レセプタクルの一部を受け入れて接続を固定してもよい。ロック部は、止め、窪み、表面上の突起、またはこれらの組み合わせであってもよい。ロック部は、単一方向であってもよい。ロック部には、プラグを差すより抜く方が難しくなるように摩擦面を形成してもよい。ロック部は、プラグがレセプタクルから外れるのを防止してもよい。ロック部は、実質的にプラグのどこに配置してもよい。好適には、ボス部の上部（つまり１２時の位置）に配置する。ロック部によってプラグのレセプタクル内部での位置を合わせてもよい。ロック部は、挿入部、内穴、外穴、平壁、円弧壁、またはこれらの組み合わせと共に動作してレセプタクル内部で接続を確立してもよい。
【００２７】
１つまたは複数の内穴は、１つまたは複数のピンと１つまたは複数の差込口の一方または両方を収容するように機能してもよい。内穴は円形であってもよい。内穴はＤ型であってもよい。内穴はアダプタ内部の窪みと相補的な形状であってもよい。内穴はアダプタ内部と相補的な形状であってもよい。内穴と外穴は形状が同一であってもよい。外穴はボス部の外側、内穴はボス部の内側であってもよい。内穴と外穴の間の壁は、厚さが均一であってもよい。壁の厚みを均一にすることによって内穴と外穴の形状が同一となるようにしてもよい。内穴と外穴との間の壁の厚みを変えて、内穴と外穴の形状が異なるようにしてもよい。内穴と外穴の一方または両方は、四角形、円形、Ｄ型、楕円形、六角形、五角形、八角形、またはこれらの組み合わせであってもよい。外穴は、第１の形状、内穴は第２の形状であってもよい。外穴はＤ型、内穴は円形であってもよい。内穴はカラー壁（ｃｏｌｌａｒ  ｗａｌｌ）を含んでもよい。
【００２８】
１つまたは複数のカラー壁によってピンと窪みを区切ってもよい。カラー壁は、１つまたは複数のカラー部と１つまたは複数の挿入凹部の一方または両方を含んでもよい。カラー壁によって、ピンと差込口を区切ってもよい。カラー壁は、内穴内部に収まってもよい。カラー壁は、ピンと差込口の一方または両方を保護する仕切りを形成してもよい。カラー壁は、１つまたは複数の挿入凹部を含んでもよく、好適には２つ以上の挿入凹部を含む。
【００２９】
挿入凹部は、単数または複数の挿入部を受けるように機能してもよい。挿入凹部は、カラー壁内の窪み、開口部、貫通穴、へこみ、またはこれらの組み合わせであってもよい。挿入凹部は、挿入部を受けて、差込口とプラグを接続してもよい。挿入凹部は、形状が半円形でもよい。挿入凹部は、カラー壁の近くに配置してもよい。挿入凹部は、ボス部の挿入壁と内穴との間に形成してもよい。挿入凹部は、円形、正方形、長方形、円弧を含む形状、またはこれらの組み合わせであってもよい。挿入凹部は、挿入部と相補的な形状であってもよい。挿入部は、レセプタクル内部でプラグの位置を合わせるように機能してもよい。挿入部は、ボス部とカラー部の間に配置してもよい。挿入部はカラー部を支持するように機能してもよい。挿入部は、レセプタクルと差込口の一方または両方と誤挿入防止構造化してもよい。例えばレセプタクルは、挿入部の１つまたは複数の部分との間に延伸する突起を含んでもよい。他の例ではレセプタクルは、挿入部がその間に延伸する切り込みを含んでもよい。挿入部は、レセプタクルの一部に延伸する突起であってもよい。プラグは挿入部なしでもよい。挿入部は、１つの連続した部品であってもよい。挿入部は概して円形であってもよい。挿入部は、挿入部と挿入部の間に間隙を含んでもよい。挿入部は、カラー部の周囲の空間としてもよい。挿入部は実質的にカラー部を囲んでもよい。
【００３０】
１つまたは複数のカラー部は、ピンを保護するように機能してもよい。カラー部はレセプタクルの差込口内部に延伸するように機能してもよい。カラー部はレセプタクルの差込口を受けるように機能してもよい。カラー部は複数であってもよい。好適にはカラー部は、概して円形（断面）または概して円筒形（三次元）である。カラー部は、対称、非対称、正方形、長方形、八角形、五角形、ダイアモンド形、星形、またはこれらの組み合わせでもよい。カラー部は、単数でもよい。カラー部は、その間に貫通穴を含む連続した部品であってもよい。カラー部の各貫通穴は、ピンを含んでもよい。好適には、カラー部は複数である。複数のカラー部は、ピンと本体部の一方または両方の長手軸に平行に延伸する部品である。複数のカラー部は、パターン状に配置してもよい。プラグは、１つ以上、２つ以上、３つ以上、４つ以上、５つ以上、６つ以上、７つ以上、８つ以上、またはそれ以上のカラー部を含んでもよい。好適にはプラグは７つのカラー部を含む。カラー部のパターンは、差込口のパターンと相補的であってもよい。各カラー部は、１つまたは複数のピンを含んでもよいが、ピンがなくてもよい。
【００３１】
１つまたは複数のピンは、接続を確立するように機能してもよい。接続は、電気接続と機械接続の一方または両方でもよい。好適には、ピンと差込口が電気接続を確立し、周りの部品（例えば内穴、カラー部、挿入凹部、挿入部、取付機構）が機械的接続を形成する。ピンは、治療用信号と電力の一方または両方を供給するか受け取るように機能してもよい。ピンは、複数のリード線に接続されてもよい。各ピンは、一本のリード線に接続されてもよい。ピンは、ピンに接続されたリード線から差込口に接続されたリード線へ信号と電力の一方または両方を伝送してもよい。ピンは差込口の内部に延伸してもよい。ピンを誤挿入防止構造化してもよい。ピンを差込口のパターンに相補的なパターンに配置してもよい。ピンは一体型であってもよい。ピンは移動可能であってもよい。ピンはバネ式であってもよい。ピンは差込口の端部の接点部に接触することによって接続を確立してもよい。ピンは、差込口の側壁に接触することによって接続を確立してもよい。ピンは複数あってもよい。ピンは、３ピン以上、４ピン以上、５ピン以上、６ピン以上、７ピン以上、または８ピン以上であってもよい。１本のピンは、ジャックピンであってもよい。ジャックピンは、プラグとボスの一方または両方から一端を固定して延伸（ｃａｎｔｉｌｅｖｅｒ）してもよい。ピンは、３ピンでもよい。３ピンはプラグとボスの一方または両方から一端を固定して延伸してもよい。ピン部は、ボス部、本体部、プラグ、またはこれらの組み合わせの内部で窪んでいてもよい。ピンはいかなる導電素材からなってもよい。ピンは、鋼、鉄、銅、銀、金、チタン、アルミニウム、またはこれらの組み合わせからなってもよい。ピンは本体部に接続された鍔部の遠位端に配置してもよい。
【００３２】
１つまたは複数の鍔部は、プラグを平面に差し込む場合にプラグが動くのを防ぐように機能する。鍔部は、レセプタクルの内に収まってもよい。プラグは、発生器に接続された際、鍔部に支えられてもよい。鍔部はプラグが下方に傾くのを防いでもよい。例えば鍔部は、接続中はプラグが発生器に対し実質的に垂直となるように、プラグが発生器に接続された際、プラグがコードによって下方へ引き下げられることを防いでもよい。鍔部は底部に平壁を備えてもよい。鍔部は底部に円弧壁を備えてもよい。鍔部はプラグの向きを合わせるように機能してもよい。鍔部はプラグの一部の周りを囲んでもよい。鍔部はプラグを囲んで外周を形成してもよい。鍔部は、プラグの一側面（例えば上方、下方、左、右）に沿って延伸してもよい。鍔部は、ゴム、プラスチック、熱可塑性物質、金属、またはこれらの組み合わせによってなっても、これらを含んでもよい。プラグは鍔部がなくてもよい。鍔部は概してＤ型であってもよい。鍔部は、一辺が平らであってもよい。鍔部は、対称、非対称、正方形、円形、角が面取りされた形状、平らな辺、またはこれらの形状の組み合わせであってもよい。鍔部は、本体部の突起部（ｒｉｄｇｅ）とは逆端に位置してもよい。鍔部は、本体部の突起部とは逆側（例えば、突起部は上側、鍔部は下側）に位置してもよい。
【００３３】
１つまたは複数の突起部は、１つまたは複数の指、好適には親指が握れる場所として機能してもよい。突起部は、各指の接触位置として機能してもよい。突起部は、本体部の隆起した部分でもよい。突起部は、結合部の隆起した部分でもよい。突起部は、接続部の隆起した部分でもよい。突起部は、接続部から結合部を介し本体部まで延伸してもよい。突起部はプラグの上側に位置してもよい。突起部は、コードの近くに配置してもよい。突起部は、親指用突起部であってもよい。突起部は、剛性であってもよい。突起部は、可撓性であってもよい。突起部は、本体部と同じ材料で作成してもよい。突起部は、本体部とは異なる材料で作成してもよい。突起部は、上側を示してもよい。突起部は、グリップ体と共に使用しても、グリップ体の代わりとして使用してもよい。
【００３４】
１つまたは複数のグリップ体は、滑らかな部分に比べて高い摩擦をもたらすように機能してもよい。グリップ体は、プラグの上側を明白に示すように機能してもよい。グリップ体は、プラグと一体型であってもよい。グリップ体はプラグに付加されてもよい。グリップ体は、本体部、接続部、結合部、またはこれらの組み合わせに配置してもよい。グリップ体は、プラグに付加されたゴム部品であってもよい。グリップ体は、プラグに接続された一体的な部品であってもよい。グリップ体は、プラグの表面に配置された複数の幾何学的な形状であってもよい。幾何学的な形状は、色々な向きであっても、並んでいても、パターン化されても、またはこれらの組み合わせであってもよい。形状は、円、正方形、長方形、ドーム形、卵形、またはこれらの組み合わせであってもよい。グリップ体は、プラグの表面上の突起部であってもよい。グリップ体は、湾曲部と共に使用しても、湾曲部の代わりとして使用してもよい。好適には湾曲部は、プラグの底部つまり下側に配置し、グリップ体はプラグの上部つまり上側に配置する。
【００３５】
１つまたは複数の湾曲部は、１本または複数本の指を支持するように機能してもよい。湾曲部は複数であってもよい。例えばプラグは、複数の湾曲部を直列に含んでもよい。湾曲部は、本体部、接続部、結合部、またはこれらの組み合わせに配置してもよい。湾曲部は指当て部（ｆｉｎｇｅｒ  ｒｅｌｉｅｆ）であってもよい。湾曲部は、窪んだ（ｓｕｂ−ｆｌｕｓｈ）湾曲部であってもよい。指当て部は、物質の欠如部分であってもよい。指当て部は、本体部と接続部の間の結合部における丸みを帯びた形状であってもよい。指当て部は、指とぴったり合ってもよい。指当て部は、プラグの下側に配置してもよい。指当て部はプラグがユーザの手の中ですべることを防止してもよい。指当て部はプラグの重心に配置してもよい。指当て部は、プラグが指当て部でバランスが取れるように配置してもよい。指当て部は、突起部とは逆側に配置してもよい。湾曲部はプラグに設けてもよい。湾曲部は、プラグのカットされた部分であってもよい。湾曲部はプラグの位置を示す助けとなる。湾曲部は、触覚的なしるしである。湾曲部に加えて、プラグは１つまたは複数の視覚的なしるしを含んでもよい。
【００３６】
１つまたは複数のしるしは、どちらが上であるかをユーザに示すように機能してもよい。しるしは、視覚的または触覚的であってもよく、または両方であってもよい。しるしは、ボス部と鍔部の一方または両方に配置してもよい。しるしは、位置を合わせる方向を示してもよい。しるしは、発生器とレセプタクルの一方または両方のしるしと位置を合わせてもよい。しるしは、矢印であってもよい。しるしはプラグに印刷してもよい。しるしはプラグの成型部品であってもよい。しるしは、１つまたは複数の取付部品の近くに配置してもよい。
【００３７】
１つまたは複数の取付部品は、プラグとアダプタの一方または両方を発生器と接続するように機能してもよい。取付部品は、アダプタをプラグに接続してもよい。取付部品は１つまたは複数の貫通穴を含んでもよい。取付部品は、１つまたは複数の留め具（例えば、ねじ、ボルト、釘、またはリベット等）を受けてもよい。取付部品は、片側または両側に配置してもよく、好適にはプラグまたはアダプタの２つ以上の方向に配置する。取付部品は、プラグまたはアダプタの両側の取付具（ｄｏｇ  ｅａｒ）であってもよい。取付部品は、本体部とボス部の一方または両方から外側へ延伸してもよい。取付部を使用してアダプタを発生器に接続し、発生器が様々なタイプのプラグを使用できるよう変換してもよい。
【００３８】
ここで説明する通り、１つまたは複数のアダプタは、レセプタクルをプラグに合わせるように機能してもよい。ここで説明する通り、アダプタによって、標準レセプタクルを誤挿入防止構造化されたレセプタクルに合わせてもよい。アダプタは、メスプラグであってもよい。アダプタは、発生器に取り付けても、発生器に挿入しても、プラグに取り付けても、またはこれらの組み合わせであってもよい。アダプタは、発生器またはプラグ用にここで説明した部品の一部またはすべてを含んでもよい。アダプタは、プラグの長手方向軸の方向となるように発生器内に配置してもよい。
【００３９】
プラグは、１つまたは複数の長手方向軸を含んでもよい。好適には、プラグは２つの長手方向軸を含む。第１長手方向軸（つまり本体長手方向軸）は、本体部の長さ方向、ピンの方向、カラー部の方向、貫通穴の方向、またはこれらの組み合わせの方向に延伸する。本体部の長手方向軸は、プラグを接続するために動かす方向に延伸してもよい。第２長手方向軸（つまり接続長手方向軸）は、接続部の長さ方向、コードの方向、またはこれら両方の方向に沿って延伸してもよい。接続長手方向軸は、本体長手方向軸と比べて下方に延伸してもよい。本体長手方向軸は、発生器の正面に垂直に延伸してもよく、接続長手方向軸は本体部の底部に対して角度を持って下方（重力の方向）に延伸してもよい。接続長手方向軸と本体長手方向軸は、相互に対して角度を持って延伸してもよい。角度は鈍角であってもよい。角度は９０度より大きな角度であってもよい。角度は１８０度未満の角度であってもよい。角度は、約９５度以上、約１０５度以上、または約１２５度以上であってもよい。角度は、約１７５度以下、約１５５度以下、または約１４０度以下（つまり約１３５度）であってもよい。角度は、結合部によって形成されてもよい。角度は、本体部と接続部の間に形成されてもよい。
【００４０】
１つまたは複数の接続部は、コードをプラグに接続するように機能してもよい。接続部は、コードを本体部と結合部の一方または両方に接続するように機能してもよい。好適には、プラグは１つの接続部を含む。接続部は本体部に対して鈍角に延伸してもよい。接続部は本体部に対して角度を持って延伸してもよい（例えば本体に対して下向き）。プラグが発生器と差込口の一方または両方に適切に取り付けられた状態のとき、接続部が本体の下（下方向）になるように配置してもよい。接続部は、結合部によって本体部に接続してもよい。接続部は、突起部、グリップ体、湾曲部、指当て部、またはこれらの組み合わせを含んでもよい。接続部は、コードと接続する。
【００４１】
１本または複数本のコードは、発生器と電気外科装置間の治療信号、電力、電気、制御信号、またはこれらの組み合わせを供給してもよい。コードは、プラグ内に延伸し、プラグを電気外科装置に電気的に接続する。コードは、１本または複数本のワイヤを含み、発生器とプラグの一方または両方と電気外科装置の間で治療用信号を伝送する。コードは、プラグ内部に延伸し、プラグに一体的に接続されてもよい。コードはプラグから本体に対して角度を持って延伸してもよい。コードは、プラグから実質的に下降の方向へ延伸してもよい（例えば垂直方向（つまり重力の方向）から１５度以下、１０度以下、約５度以下）。
【００４２】
結合部は、本体部を接続部と接続するように機能してもよい。結合部は、接続部を本体部に対して角度を付けるように機能してもよい。結合部は、接続部と本体部の間で湾曲してもよい。結合部は、接続部と本体部との間で屈曲していてもよい。結合部は、湾曲部、突起部、グリップ体、またはこれらの組み合わせを含んでもよい。結合部は、ここで述べる角度、ここで述べる２本の長手方向軸、またはこれらの組み合わせを形成してもよい。結合部は、コードからのすべてのワイヤを接続部から本体部へ延伸させ、コードによって電気外科装置に電力を供給できるようにしてもよい。
【００４３】
プラグは、再利用可能でもよい。プラグは、使い捨てであってもよい。プラグは、オートクレーブ内に入れられる素材と溶液に入れられる素材の一方または両方によって構成してもよい。プラグは一回使用可能なプラスチックによって構成してもよい。プラグは、外科装置と共に洗浄されてもよい。プラグは電気外科装置から外すことが可能であってもよく、それによって装置は洗浄してプラグは廃棄してもよい。使い捨てプラグは、再利用可能プラグとは異なる素材で構成してもよい。
【００４４】
図１に発生器２を示す。発生器２は、プラグ１０を受けるレセプタクル４を複数含む。図示するように、レセプタクル４の中のいくつかにはプラグ１０が挿入されている。各レセプタクル４は、プラグ１０のピン（図示せず）を受ける複数の差込口６を含む。
【００４５】
図２にプラグ１０の後部斜視図を示す。プラグ１０は、本体部１２、接続部５０、本体部１２を接続部５０に接続する結合部６０を含む。ボス部１４が本体部１２から延伸する。ボス部１４は、プラグ１０をレセプタクル４（図示せず）に接続するロック部２２を含む。ボス部１４と本体部１２の間に鍔部２０がある。本体部１２は、複数のグリップ体３２を含む。本体部１２の長手方向軸４４は、本体部１２の長さ方向に沿って、ピン（図示せず）に平行に延伸する。接続部５０の接続部長手方向軸５２は、接続部５０の長さ方向に沿って、コード（図示せず）と平行に延伸する。結合部６０は、本体部１２の長手方向軸４４と接続部５０の長手方向軸が相互に対して角度（α）に延伸するように、本体部１２と接続部５０に対し角度を持って延伸する。
【００４６】
図３に図２の逆側からのプラグ１０の斜視図を示す。プラグは、接続部５０の内部へ延伸するコード５４を含む。接続部５０は、結合部６０の第１側で結合部６０と接続され、結合部は結合部６０の第２側で本体部１２と接続される。結合部６０は、結合部６０の底部（下面）に配置される湾曲部（ｒａｄｉｕｓ）３４を含む。本体部１２とボス部１４は、鍔部２０によって仕切られる。
【００４７】
図４にプラグ１０の正面図を示す。湾曲部３４（例えば指当て部）は、結合部６０の下面に示されている。ボス部１４は、示されているように概してＤ形であって、複数の貫通穴１７を含む単体のカラー部１６を囲んで延伸する。各貫通穴１７は発生器（図示せず）の接続素子との接続を確立する接続素子４６を含む。
【００４８】
図５にプラグ１０の側面図を示す。プラグは上面６２、底部（下面）６４、上面６２を底面６４に接続する第１側面６６、および上面６２を底面６４に接続する第２側面（図示せず）を含む。湾曲部３４は、本体部１２と結合部６０の底面６４に配置される。複数のグリップ体３２は、本体部１２と結合部６０の上面６２に沿って設けられる。
【００４９】
図６にプラグ１０の正面斜視図を示す。プラグ１０は、円弧壁２１Ｂと平壁２１Ａを含む鍔部２０を含み、鍔部２０は、概してＤ形である。プラグ１０は、上面６２、底面６４、および上面６２を底面６４に接続する第２側面６８を含む。鍔部２０の平壁２１Ａは、示されているようにプラグ１０の底面６４に配置される。プラグ１０は、円弧壁１４Ｂと平壁１４Ａを備えるボス部１４を含む。ボス部１４の平壁１４Ａと鍔部２０の平壁２１Ａは、両方ともプラグの底面６４に配置される。
【００５０】
図７Ａにプラグ１０の正面斜視図を示す。プラグ１０は、円弧壁２１Ｂと平壁２１Ａを備える鍔部２０を含み、鍔部２０は概してＤ形である。プラグ１０は、上面６２、底面６４、および上面６２を底面６４に接続する第２側面６８を含む。鍔部２０の平壁２１Ａは、示されているようにプラグ１０の上面６２に配置される。プラグ１０は、円弧壁１４Ｂと平壁１４Ａを備えるボス部１４を含む。ボス部１４の平壁１４Ａと鍔部２０の平壁２１Ａは両方ともプラグの上面６２に配置される。
【００５１】
図７Ｂに図７Ａに示したプラグ１０の側面斜視図を示す。ボス部１４は示されるように円形内穴１９とロック部２２を含む。プラグ１０は、鍔部２０を含み、鍔部２０はボス部１４の形状を反映する形状である。
【００５２】
図７Ｃに図７Ａに示したプラグ１０の正面図を示す。プラグ１０は、ボス部１４と鍔部２０を有し、ボス部１４と鍔部２０は実施的に同一の形状である。ボス部１４は、カラー壁２６を含み、カラー壁２６はアダプタ（図示せず）の挿入部（図示せず）を受けて接続を確立する一対の挿入凹部２４を含む。カラー壁２６は、示されるようにピン１８である接続素子４６の周りに延伸する複数のカラー部１６を含む。
【００５３】
図８にアダプタ７０であるプラグ１０の正面上部の斜視図を示す。アダプタ７０は、平壁１４Ａと円弧壁１４Ｂを備えるボス部１４を含む。ボス部１４は、平壁１９Ａと円弧壁１９Ｂを備える内穴１９を含む。ボス部１４内に、２つの挿入部１５と複数のカラー部１６が配置される。
【００５４】
図９Ａにプラグ１０の一部である図８に示したアダプタ７０の正面斜視図を示す。アダプタ７０は、しるし３６が付けられたボス部１４を含む。しるし３６は、どちらが上であるかを示し、ボス部１４は概してＤ形である。挿入部１５は、ボス部１４内部に配置され、複数のカラー部１６が挿入部１５の内側に配置される。アダプタ７０は、プラグ１０または発生器（図示せず）に組み込み、接続の確立を補助しても、または既存のプラグまたはレセプタクルを適合させて接続を確立するように補助してもよい。
【００５５】
図９Ｂにアダプタ７０の側面斜視図を示す。アダプタ７０は、電力と信号の一方または両方の供給と受け取りの一方または両方を行なうコード５４に接続される。
【００５６】
図１０にアダプタ７０の正面斜視図を示す。アダプタ７０は示されているようにレセプタクル４の一部であって、ピン（図示せず）を受ける複数の差込口６として示される複数の接続素子４６を含む。差込口６がピンを含んでもよい。アダプタ７０を所望の部品に取り付けるため、一対の対向する取付機構３８がアダプタ７０から延伸する。
【００５７】
図１１にプラグ１０の側面図を示す。プラグ１０は、３本のピン１８を含む。
【００５８】
図１２に図１１のプラグ１０の上面図を示し、ボス部１４から延伸するピン１８を示す。図１１と図１２に示すように、本体部１２の長手方向軸４４が接続部５０の接続部長手方向軸５２に対して角度（β）を付けて延伸するように結合部６０は屈曲する。ボス部１４は鍔部２０によって本体部１２と仕切られる。本体部１２と接続部５０は、結合部６０によって接続される。コード５４は、接続部５０から延伸する。
【００５９】
図１３に使い捨て４２であるプラグ１０の側面図を示す。プラグ１０は、底面６４のみに鍔部２０を含み、上面６２には突起部３０を含む。
【００６０】
図１４に使い捨て４２である図１３に示したプラグ１０の上面図を示す。
【００６１】
図１５に使い捨て４２であるプラグ１０の側面図を示す。プラグ１０は、底部に湾曲部３４、上面に突起部３０を含む。
【００６２】
図１６に使い捨て４２であるプラグ１０の上面図を示す。
【００６３】
図１７に使い捨て４２であるプラグ１０の側面図を示す。プラグ１０は、底面６４に湾曲部３４、上面６２に複数のグリップ体３２を含む。
【００６４】
図１８に使い捨て４２である図１７のプラグ１０の上面図を示す。
【００６５】
図１９に再利用可能４０であるプラグ１０の側面図を示す。プラグ１０は、ピン１８を１本含む。プラグは更に、底面６４に鍔部２０、上面６２に突起部３０を含む。
【００６６】
図２０に再利用可能４０である図１９のプラグ１０の上面図を示す。
【００６７】
図２１に再利用可能４０であるプラグ１０の側面図を示す。プラグ１０は、底面６４に鍔部２０、上面６２に突起部３０を含む。
【００６８】
図２２に図２１の再利用可能４０であるプラグ１０の上面図を示す。
【００６９】
図２３に再利用可能４０であるプラグ１０の側面図を示す。プラグ１０は、底面６４に湾曲部３４、上面６２にグリップ体３２を含む。
【００７０】
図２４に図２３の再利用可能４０であるプラグ１０の上面図を示す。
【００７１】
ここで述べるあらゆる数値は、最小値から最大値まで少なくとも２単位以上離れている場合、最小値から最大値までのすべての数値を１単位刻みで含む。例えば部品の数や、温度、圧力、時間等のプロセス変数の数値が例えば１〜９０、好適には２０〜８０、より好適には３０〜７０であると記載されている場合、本明細書では、例えば１５〜８５、２２〜６８、４３〜５１、３０〜３２のような数値が明確に列挙されているものとする。１以下の数値の場合、１単位は、０．０００１、０．００１、０．０１、または０．１等の適切な単位とする。これらは具体的な意図の例に過ぎず、挙げられた最小値と最高値の間の数値のすべての可能な組み合わせは、同様に本明細書に具体的に記載されているものとする。
【００７２】
特に明記しない限り、すべての範囲は端点、および端点と端点の間の数値を含む。範囲に関して「約」を使用した場合、その範囲の両方の端点に適用される。つまり、「約２０〜３０」とは、「約２０〜約３０」を対象とすることを意図し、少なくとも特定された端点を含む。
【００７３】
特許出願や特許公開公報を含むすべての記事や参考文献の開示は、あらゆる目的のために引用によりここに援用する。組み合わせを示すための「実質的に〜から成る」という表現は、特定された構成要素、成分、部品、または工程を含み、組み合わせの基本的および新規的な特徴事項に著しく影響しないその他の構成要素、成分、部品、または工程も含む。構成要素、成分、部品、または工程の組み合わせを示す「〜を備える」または「〜を含む」というここでの表現の使用は、実質的にこれらの構成要素、成分、部品、または工程から成る実施形態も意図する。「〜もよい」というここで表現の使用によって、含んで「もよい」あらゆる示された特性は任意であることを意図する。
【００７４】
複数の構成要素、成分、部品、または工程は、単数の一体化された構成要素、成分、部品、または工程によって備えてもよい。または、単数の一体化された構成要素、成分、部品、または工程は、複数の構成要素、成分、部品、または工程に分割されてもよい。構成要素、成分、部品、工程を示す「１つの」または「単数の」という開示は、追加の構成要素、成分、部品、または工程を排除するよう意図するものではない。
【００７５】
上記の記載は、説明用であって、限定するためのものではないことを理解されたい。提示した例以外の様々な実施形態や様々な適用例が上記記載を読むことによって当業者には明らかであろう。つまり教示の範囲は、上記の記載を基準にすることによって決定されるのではなく、添付の請求項および請求項が権利を有する等価物の範囲全体とを基準にすることによって決定されるものである。特許出願や特許公開公報を含むすべての記事や参考文献の開示は、あらゆる目的のため引用によりここに援用する。下記の請求項内におけるここで開示する主題のあらゆる態様の省略は、そのような主題の権利を放棄するものではなく、また発明者がそのような主題を開示した発明の主題として考慮しなかったとみなされるべきでもない。
【符号の説明】
【００７６】
２  発生器、４  レセプタクル、６  差込口、１０  プラグ、１２  本体部、１４  ボス部、１４Ａ  平壁、１４Ｂ  円弧壁、１５  挿入部、１６  カラー部、１７  貫通穴、１８  ピン、１９  円形内穴、２０  鍔部、２１Ａ  平壁、２１Ｂ  円弧壁、２２  ロック部、２４  挿入凹部、２６  カラー壁、３０  突起部、３２  グリップ体、３４  湾曲部、３６  しるし、３８  取付機構、４０  再利用可能、４２  使い捨て、４４  長手方向軸、４６  接続素子、５０  接続部、５２  長手方向軸、５４  コード、６０  結合部、６２  プラグの上部、６４  プラグの底部または下面、６６  第１側面、６８  第２側面、７０  アダプタ。
【図１】
2018085322.tif 000003
【図２】
2018085322.tif 000004
【図３】
2018085322.tif 000005
【図４】
2018085322.tif 000006
【図５】
2018085322.tif 000007
【図６】
2018085322.tif 000008
【図７Ａ】
2018085322.tif 000009
【図７Ｂ】
2018085322.tif 000010
【図７Ｃ】
2018085322.tif 000011
【図８】
2018085322.tif 000012
【図９Ａ】
2018085322.tif 000013
【図９Ｂ】
2018085322.tif 000014
【図１０】
2018085322.tif 000015
【図１１】
2018085322.tif 000016
【図１２】
2018085322.tif 000017
【図１３】
2018085322.tif 000018
【図１４】
2018085322.tif 000019
【図１５】
2018085322.tif 000020
【図１６】
2018085322.tif 000021
【図１７】
2018085322.tif 000022
【図１８】
2018085322.tif 000023
【図１９】
2018085322.tif 000024
【図２０】
2018085322.tif 000025
【図２１】
2018085322.tif 000026
【図２２】
2018085322.tif 000027
【図２３】
2018085322.tif 000028
【図２４】
2018085322.tif 000029
【外国語明細書】
2018085322.tif 000030
2018085322.tif 000031
2018085322.tif 000032
2018085322.tif 000033
2018085322.tif 000034
2018085322.tif 000035
2018085322.tif 000036
2018085322.tif 000037
2018085322.tif 000038
2018085322.tif 000039
2018085322.tif 000040
2018085322.tif 000041
2018085322.tif 000042
2018085322.tif 000043
2018085322.tif 000044
2018085322.tif 000045
2018085322.tif 000046
2018085322.tif 000047
2018085322.tif 000048
2018085322.tif 000049
2018085322.tif 000050
2018085322.tif 000051
2018085322.tif 000052
2018085322.tif 000053
2018085322.tif 000054
2018085322.tif 000055
2018085322.tif 000056
2018085322.tif 000057
2018085322.tif 000058
2018085322.tif 000059
2018085322.tif 000060